(57)【要約】      （修正有）【課題】常時、踏段の清掃ができる踏段清掃装置であって、乗降板を開口し、必要であれば踏段を１段のみ外すことにより清掃用ブラシを容易に確認・交換できる清掃装置を備えた乗客コンベアを提供する。【解決手段】乗客コンベアは、無端状に連結して走行する踏段Ｓと、乗降口に配設され、開口することにより機械室内部が露出する乗降板１１と、機械室内に設置され、清掃用ブラシ１及び清掃用ブラシ１を取り付けるための取付用ブラケット２を有する踏段清掃装置１０とを備えた乗客コンベアであって、該清掃用ブラシ１は、そのブラシ先端部が踏段Ｓの復路と往路との反転領域において、踏み面が上方に向いている状態の踏段Ｓの踏み面に対して上方から接触するように構成され、乗降板１１の開口時に容易に清掃用ブラシ１の確認及び交換ができるように乗降板１１の裏面に取り付けられている。【選択図】図３
2012144339.tif 000002
【特許請求の範囲】
【請求項１】
無端状に連結して走行する踏段と、乗降口に配設され、開口することにより機械室内部が露出する乗降板と、機械室内に設置され、清掃用ブラシ及び清掃用ブラシを取り付けるための取付手段を有する踏段清掃装置とを備えた乗客コンベアであって、
該清掃用ブラシは、そのブラシ先端部が踏段の復路と往路との反転領域において、踏み面が上方に向いている状態の踏段の踏み面に対して上方から接触するように構成され、乗降板開口時に容易に清掃用ブラシの確認及び交換ができるように乗降板裏面に取り付けられていることを特徴とする乗客コンベア。
【請求項２】
取付手段が、乗降板裏面に取り付けられ、清掃用ブラシを固定するための取付用ブラケットと、清掃用ブラシに設けられ、取付用ブラケットに取り付けるための取付穴とからなり、取付用ブラケットと取付穴とを係合させることにより乗降板裏面に清掃用ブラシを取り付けるようにしたことを特徴とする請求項１に記載の乗客コンベア。
【請求項３】
清掃用ブラシは、踏段幅以上の長さのブラシ部と、該ブラシ部を植設するブラシ台とからなることを特徴とする請求項１又は２に記載の乗客コンベア。
【請求項４】
ブラシ部が踏段の溝のピッチに合わせて植設してなることを特徴とする請求項１〜３のいずれか１項に記載の乗客コンベア。
【請求項５】
清掃用ブラシは乗降板開口後、踏段を１段外すことにより確認・交換ができることを特徴とする請求項１〜４のいずれか１項に記載の乗客コンベア。
【請求項６】
取付用ブラケットは、既設乗客コンベアに取付可能な構造であることを特徴とする請求項１〜５のいずれか１項に記載の乗客コンベア。
【発明の詳細な説明】
【技術分野】
【０００１】
本発明の実施形態は、乗客コンベアに関する。
【背景技術】
【０００２】
従来、無端状に連結して走行する踏段を有するエスカレータや動く歩道等の乗客コンベアにおいて、その踏段の清掃は往路部（乗り込み可能な部分）で利用者のいないときに行われていた。また、機械室内に踏段清掃装置が設置された乗客コンベアが提案され、その踏段清掃装置における清掃用ブラシは、踏段反転位置の下方であって、機械室内を構成するトラスの底部に配されるオイルパン部に取付られていた。
【先行技術文献】
【特許文献】
【０００３】
【特許文献１】特開平８−５９１６９号公報
【発明の概要】
【発明が解決しようとする課題】
【０００４】
上記従来の踏段清掃装置の構造では、清掃用ブラシが踏段反転位置の下方に取り付けられているため、踏段の存在が邪魔をして清掃用ブラシの摩耗状態の確認や交換に手間がかかるものであった。
【０００５】
本発明の実施形態は、常時、踏段の清掃ができる踏段清掃装置であって、乗降板を開口し、必要であれば踏段を１段のみ外すことにより清掃用ブラシを容易に確認・交換できる清掃装置を備えた乗客コンベアを提供することにある。
【課題を解決するための手段】
【０００６】
本発明の実施形態に係る乗客コンベアは、無端状に連結して走行する踏段と、乗降口に配設され、開口することにより機械室内部が露出する乗降板と、機械室内に設置され、清掃用ブラシ及び清掃用ブラシを取り付けるための取付手段を有する踏段清掃装置とを備えた乗客コンベアであって、該清掃用ブラシは、そのブラシ先端部が踏段の復路と往路との反転領域において、踏み面が上方に向いている状態の踏段の踏み面に対して上方から接触するように構成され、乗降板開口時に容易に清掃用ブラシの確認及び交換ができるように乗降板裏面に取り付けられていることを特徴とするものである。
【図面の簡単な説明】
【０００７】
【図１】本発明の実施例１のエスカレータの全体を示す概略側面図である。
【図２】図１のＡ部拡大図であって、踏段清掃装置を備えていない状態における側面図である。
【図３】図１のＡ部拡大図であって、踏段清掃装置を備えた状態における側面図である。
【図４】図３のＢ−Ｂ線で切断してその下面側を表した概略図である。
【図５】図３のＣ部拡大断面図である。
【図６】清掃用ブラシの第１の変更例であって、（ａ）はブラシ先端部側から見た図であり、（ｂ）は側面図である。
【図７】清掃用ブラシの第２の変更例であって、（ａ）はブラシ先端部側から見た図であり、（ｂ）は側面図である。
【図８】清掃用ブラシの第３の変更例であって、（ａ）はブラシ先端部側から見た図であり、（ｂ）は側面図である。
【図９】清掃用ブラシの第４の変更例であって、（ａ）は正面図であり、（ｂ）はブラシ先端部側から見た図であり、（ｃ）は側面図である。
【図１０】図９のＤ部におけるブラシ植設位置を示す拡大図である。
【発明を実施するための形態】
【０００８】
以下、本発明の実施例に係る乗客コンベアについて、図面を参照して説明する。
【実施例１】
【０００９】
図１は本発明の実施例１のエスカレーターの全体概要を示す図であり、図１において、Ｅはエスカレータを示し、エスカレータＥには無端状に連結された踏段Ｓが走行するように配置されている。ＭはトラスＴにより枠組みされた下階側機械室であり、踏段Ｓの走行に必要な機材が設置されている。図２は、図１のＡ部の拡大であって下階側機械室Ｍの側面構造を表し、後述する踏段清掃装置１０を設置していない従来の状態における下階側機械室Ｍの一部を示す。下階側機械室Ｍの天板の一部はエスカレータ乗降口の乗降板１１を兼ねており、乗降板１１を開口すれば、下階側機械室Ｍの内部が露出するようになっている。
【００１０】
図３は、図２において下階側機械室Ｍ内に踏段清掃装置１０を設置した状態を示し、該踏段清掃装置１０は、清掃用ブラシ１と該清掃用ブラシ１を取り付けるための取付用ブラケット２とから構成される。清掃用ブラシ１は、図３に示すように、踏段Ｓの幅方向に細幅状の２列に並んだはけ型のブラシ部１ａを有する形態をなし、該ブラシ部１ａは、踏段幅以上の長さを有し、ブラシ台１ｂに植設されている。そして、ブラシ部１ａは、そのブラシ先端部が、踏段Ｓの復路（機械室側の走行路）と往路（利用者側の走行路）との反転領域、すなわち例えば上昇する踏段Ｓの踏み面が下方向から垂直方向を経て上方向に変移していく領域において、踏み面が上方に向いている状態の踏段Ｓの踏み面に対して上方から接触するように構成されている。
【００１１】
図４は、図３のＢ−Ｂ線で切断した乗降板裏面を示し、図５は、図３のＣ部拡大であって、踏段清掃装置１０の詳細を示す。図４、図５に示すように、乗降板１１の裏面には乗降板裏面の補強板３が取り付けられており、該補強板３に取付用ブラケット２が取り付けられ、該取付用ブラケット２はコム梁４に対して固定されている。また、該取付用ブラケット２には、清掃用ブラシ１を取り付けるための被取付部２ａが適宜間隔をおいて複数形成されている。一方、清掃用ブラシ１には、そのブラシ台１ｂに前記被取付部２ａと同ピッチの取付穴１ｃが設けられており、取付用ブラケット２と取付穴１ｃとにより清掃用ブラシ１を取り付ける取付手段が構成されている。
【００１２】
以上のように踏段清掃装置１０を構成したことにより、利用者を乗せて無端状に連結して走行する踏段Ｓの汚れを落とすために、通常は往路部（乗り込み可能な部分）で踏段Ｓの清掃をするのではなく、下階側機械室Ｍ内に踏段清掃装置１０を設置し、踏段清掃装置１０に設けた清掃用ブラシ１が踏段Ｓの反転部開始点の乗降板１１裏面に取り付けられているので、常時、踏段Ｓを清掃することになる。そして、ブラシ取付位置を踏段Ｓの反転部開始点とすることにより、コム部等の水平部に取り付けるより、踏み面へのごみや埃のたまりが少なくてすむ構造となっている。さらに、ブラシ取付位置を踏段の反転部開始点とすることにより、踏み面を清掃する際に踏段Ｓが水平又は斜めの状態から清掃を始めるため、踏段面へのごみや埃のたまりが少なくてすむ構造となっている。そして、清掃用ブラシ１は乗降板１１を開口した後、踏段Ｓを１段外すことにより確認・交換ができる。また、取付用ブラケット２は、既設の乗客コンベアに取付可能な構造である。
【００１３】
図６に示す５は、実施例１における清掃用ブラシ１の第１の変更例であり、当該清掃用ブラシ５は、ブラシ部５ａが踏段幅より長い１列のはけ型となっているものであり、踏み面との接触摩擦が少ない利点があり、また、コストが安い利点がある。なお、清掃用ブラシ５は、そのブラシ台５ｂに取付用ブラケット２の被取付部２ａに対応する取付穴が形成されていて、取付用ブラケット２に容易に取り付けることができる。
【００１４】
図７に示す６は、実施例１における清掃用ブラシ１の第２の変更例であり、当該清掃用ブラシ６は、ブラシ部６ａが踏段幅より長く、太幅状のたわし型の形態をなしているものであり、その分だけブラシ台６ｂの面積が広くなっており、清掃効率が向上する利点がある。なお、清掃用ブラシ６は、そのブラシ台６ｂに取付用ブラケット２の被取付部２ａに対応する取付穴が形成されていて、取付用ブラケット２に容易に取り付けることができる。
【００１５】
図８に示す７は、実施例１における清掃用ブラシ１の第３の変更例であり、当該清掃用ブラシ７は、ブラシ部７ａが踏段幅より長く、ブラシ台７ｂの片側から放射状に植設された半丸型の形態をなすものであり、踏み面に対する接触がソフトである利点がある。なお、清掃用ブラシ７は、そのブラシ台７ｂに取付用ブラケット２の被取付部２ａに対応する取付穴が形成されていて、取付用ブラケット２に容易に取り付けることができる。
【００１６】
図９及び図１０に示す８は、実施例１における清掃用ブラシ１の第４の変更例であり、当該清掃用ブラシ８は、ブラシ部８ａが踏段幅以上のもので、かつ、踏段の溝のピッチに合わせてブラシ台８ｂにブラシ束を植毛したはけ型ブラシの形態をなすものである。図中の９は、ブラシ束を植毛する穴を示し、植毛穴９同士の間隔９ａは、踏段の溝のピッチに合致するように構成されている。このように踏段の溝のピッチに合致したブラシ束を植毛してなる清掃用ブラシ８は、踏段への負荷（塗装の剥がれ等）を低減することのできる利点がある。なお、清掃用ブラシ８は、そのブラシ台８ｂに取付用ブラケット２の被取付部２ａに対応する取付穴８ｃが形成されていて、取付用ブラケット２に容易に取り付けることができる。
【００１７】
以上のように、清掃用ブラシにおいて、清掃用ブラシの取付穴ピッチが同一であれば、ブラシの幅が踏段幅以上のもので、はけ型、たわし型、半丸棒型等の種々の形態の清掃用ブラシを採用することができる。
【００１８】
本発明の実施形態に係る乗客コンベアは、乗降板裏面に清掃用ブラシ１を取り付けるための取付用ブラケット２を取り付け、その取付用ブラケット２に清掃用ブラシ１を取り付けた構成であるため、着脱が容易であり、交換作業の作業性が向上する。また、清掃用ブラシの取付穴の位置が同一であればどのような清掃用ブラシでも取り付けが可能となる。このように踏段清掃装置１０を取り付けることにより、常時、踏段Ｓの清掃を行うため踏段のきれいな状態が保てる。また、乗降板開口後、踏段を１段外すことにより清掃用ブラシ１の摩耗確認や交換も容易でメンテナンス作業員の作業時間の低減も図れる。
【００１９】
なお、本実施例はエスカレータについて説明したが、動く歩道における踏段に対しても適用できるものである。また、清掃用ブラシ１及び取付手段についても、本実施例のものに限られるものではない。実施の形態は例示であり、発明の範囲は実施の形態に限られるものではない。
【符号の説明】
【００２０】
Ｅ・・・エスカレータ
Ｓ・・・踏段
Ｍ・・・下階側機械室
Ｔ・・・トラス
１０・・踏段清掃装置
１１・・乗降板
１・・・清掃用ブラシ
１ａ・・ブラシ部
１ｂ・・ブラシ台
１ｃ・・取付穴
２・・・取付用ブラケット
２ａ・・被取付部
３・・・乗降板裏面の補強板
４・・・コム梁
５・・・清掃用ブラシ（はけ型）
５ａ・・ブラシ部（はけ型）
６・・・清掃用ブラシ（たわし型）
７・・・清掃用ブラシ（半丸型）
８・・・清掃用ブラシ（踏段溝ピッチ型）
９・・・ブラシ束植毛穴
９ａ・・ブラシ束植毛穴のピッチ
【図１】
2012144339.tif 000003
【図２】
2012144339.tif 000004
【図３】
2012144339.tif 000005
【図４】
2012144339.tif 000006
【図５】
2012144339.tif 000007
【図６】
2012144339.tif 000008
【図７】
2012144339.tif 000009
【図８】
2012144339.tif 000010
【図９】
2012144339.tif 000011
【図１０】
2012144339.tif 000012